(57)【要約】      （修正有）【課題】放射性物質を選択的に吸着でき吸着処理後の汚染水の海洋投棄も可能にする極微量レベルまでの収益性の高い吸着材とその装置を提供する。【解決手段】繊維性けい酸塩鉱物である石綿（アスベスト）を微細粉塵化した積層に半減期の極めて長い放射性物質の微細微量レベルまでの吸着性をもって確実にこれらの放射性物質を吸着回収する石綿（アスベスト）微細粉塵積層を放射性物質廃棄用袋に充填し廃液処理タンク３に装填し放射性廃液を通過透過して石綿（アスベスト）微細粉塵積層に吸着収集しコンパクトな廃棄容量物にすることを目的とする、放射性物質を吸着させる石綿（アスベスト）の微細粉塵化層１０を石綿粗繊維層８、石綿中粗層９をもって挟み放射性廃液から放射性物質を吸着収集する石綿積層形状を有する放射性物質吸着構造。【選択図】図１
0003232940.tif 000002
【実用新案登録請求の範囲】
【請求項１】
繊維性けい酸塩鉱物である石綿（アスベスト）を微細粉塵化した積層を放射性物質廃棄用袋に充填し廃液処理タンクに装填し放射性廃液を通過透過して石綿（アスベスト）微細粉塵積層に吸着収益しコンパクトな廃棄容量物にする。
【請求項２】
石綿（アスベスト）微細粉塵に半減期の極めて長い放射性物質の微細微量レベルまでの吸着性をもって確実にこれらの放射性物質を吸着回収する。請求項１に記載の放射能汚染水の放射性物質吸着除染と処理装置の構造。
【請求項３】
微細粉塵化した石綿（アスベスト）によって汚染水の層内停留時間を十分取る効果と粗繊維層と中粗層とで挟むことで回収にも粉塵層が飛散しない構成構造。
【考案の詳細な説明】
【技術分野】
【０００１】微細粉塵化した繊維性けい酸塩鉱物である石綿（アスベスト）は今まで吸着除去が難しかったストロンチュウム、プルトニュウムといった半減期の極めて長い放射性物質の微細微量レベルまでの吸着性があるとされる。
【背景技術】
【０００２】放射性ストロンチウム吸着材料は示した特許文献にも検討されてきているがその微量微細レベルの吸着及びその製造方法、それを利用した放射性物質の除去方法はなお検討の余地がある。
【先行技術文献】
【特許文献】
【０００３】
【特許文献１】特開２０１３−２１２４８４（Ｐ２０１３−２１２４８４Ａ）放射性ストロンチウム吸着材料及びその製造方法、それを利用した放射性物質の除去方法
有機高分子繊維にチタン酸金属塩を繊維に担持し高いストロンチュウムの選択性を有する吸着材を構成する装置を提供。
【特許文献２】特開２０１６−８０４８６（Ｐ２０１６−８０４８６Ａ）放射性物質吸着材及びその利用
ゼオライトを混入した放射性物質吸着剤によりストロンチウム・セシウムの放射性物質の吸着剤を提供。
【非特許文献】
【０００４】
【非特許文献１】Ｐｒｏｃｅｅｄｉｎｇｓ  ｏｆ  ｔｈｅ  Ｊａｐａｎ  Ａｃａｄｅ  Ｓｅｒ．  Ｂ，  Ｐｈｙｓｉｃａｌ  ａｎｄ  Ｂｉｏｌｏｇｉｃａｌ  Ｓｃｉｅｎｃｅｓ  ２００９；  Ｎｏ７  Ｖｏｌ．８５：２２９−２３９．  Ａｃｃｕｍｕｌａｔｉｏｎ  ｏｆ  ｒａｄｉｕｍ  ｉｎ  ｆｅｒｒｕｇｉｎｏｕｓ  ｐｒｏｔｅｉｎ  ｂｏｄｉｅｓ  ｆｏｒｍｅｄ  ｉｎ  ｌｕｎｇ  ｔｉｓｓｕｅ：ａｓｓｏｃｉａｔｉｏｎ  ｏｆ  ｒｅｓｕｌｔｉｎｇ  ｒａｄｉａｔｉｏｎ  ｈｏｔｓｐｏｔｓ  ｗｉｔｈ  ｍａｌｉｇｎａｎｔ  ｍｅｓｏｔｈｅｌｉｏｍａ  ａｎｄ  ｏｔｈｅｒ  ｍａｌｉｇｎａｎｃｉｅｓアスベストなどが原因とされる肺悪性腫瘍の発がんメカニズムの解明
アスベストにラジュウムのような放射性物質が集積しそのα放射線によって発癌の発症を引き起こしているものと示唆している。
【考案の概要】
【考案が解決しようとする課題】
【０００５】放射性物質もストロンチウム，プルトニュムのような半減期の極めて長いもの特に半減期２８年のストロンチウム、２万４０００年のプルトニュムの除去は放射能汚染水処理の最重要課題であり本考案はこれらの放射性物質を微量レベルまで吸着回収し、回収汚染物をコンパクトにし安全確実に回収することを目的とし提供することである。
【課題を解決するための手段】
【０００６】前記した課題を本考案は下記の手段で解決することである。
石綿（アスベスト）粉塵はストロンチウム，プルトニュムなどの放射性物質を極めて微量レベルまで吸着することが知られている、この超微細粉塵化した石綿（アスベスト）の積層と石綿粗繊維層とを処理タンク内に積層し数カ月から年単位の長時間を掛け汚染水を通過透過させてこれら放射性物質の高い吸着収益回収を行う。【０００７】本考案の主眼である放射性物質吸着には石綿（アスベスト）を粉塵レベルにまで微細化することで微量放射性物質の吸着性が高まる。【０００８】石綿（アスベスト）の積層は粉塵化層を粗繊維層と中粗層とで挟み込むことでタンクから廃棄袋とも引き上げる時に石綿粉塵層が飛散させないためでもある。
【考案の効果】
【０００９】半減期の極めて長いストロンチウム，プルトニュムの微細微量吸着性に超微細粉塵化した石綿（アスベスト）は高い効果が期待される。【００１０】粉塵化石綿（アスベスト）積層に汚染放射性物質を吸着集積回収することで汚染水から放射性物質を究極まで除去し透過後の汚染水を安全に海水なりに廃棄できる。【００１１】粉塵化石綿（アスベスト）積層に汚染放射性物質を吸着集積回収することでその石綿（アスベスト）を回収することで放射性物質をコンパクトにでき地中なりへの収集袋ごと廃棄も可能となる。
【図面の簡単な説明】
【００１２】
【図１】代表図面は本考案の全体システム構造を示す。
【図２】石綿（アスベスト）積層装填廃棄袋全体と内部石綿（アスベスト）積層の断面を示す
【考案を実施するための形態】
【００１３】図１代表図面は請求項１の石綿（アスベスト）積層による放射性廃液からの放射性物質の吸着回収のシステム全体構造の模式図である。
【００１４】図１、図２に第一層吸着タンクに装填する本考案の第一義の石綿（アスベスト）の粗繊維、中粗そして微細粉塵化層の積層構造の模式図である。
【００１５】図１はこの石綿（アスベスト）積層を廃棄袋に装填し透過回収後に袋の巾着なりの閉鎖方で取り出しを容易にする構造の模式図である。
【００１６】第二層タンクにさらに第一層タンクで吸着回収漏れがあった場合の追加回収層を設ける模式図である。
【００１７】第三廃棄貯水タンクに吸着回収後の廃液を貯めて投棄段階への模式図である。
【産業上の利用可能性】
【００１８】原子力関連施設、原子力発電所などで生じる放射性廃液を本法の高い放射性物質吸着収益を持って放射性物質を含む廃液の減量廃棄に大きく寄与できるものと考える。
【符合説明】
１代表図面は本考案の全体システム構造
１−１第一層吸着タンク
１−２第二層中間タンク
１−３廃棄貯水タンク
１−４汚染水廃液投入口
１−５石綿（アスベスト）積層装填廃棄袋
２−５石綿（アスベスト）積層装填廃棄袋
１−６廃棄袋釣り上げフック
２−６廃棄袋釣り上げフック
１−７廃棄袋閉鎖巾着ワイヤー
２−７廃棄袋閉鎖巾着ワイヤー
１−８石綿（アスベスト）粗繊維層
２−８石綿（アスベスト）粗繊維層
１−９石綿（アスベスト）中粗層
２−９石綿（アスベスト）中粗層
１−１０石綿（アスベスト）粉塵化超密層
２−１０石綿（アスベスト）粉塵化超密層
１−１１タンク間バルブ付接続パイプ
１−１２廃棄水排水口
【図１】
0003232940.tif 000003
【図２】
0003232940.tif 000004
【手続補正書】
【提出日】令和3年2月10日(2021.2.10)
【手続補正１】
【補正対象書類名】実用新案登録請求の範囲
【補正対象項目名】全文
【補正方法】変更
【補正の内容】
【実用新案登録請求の範囲】
【請求項１】
繊維性けい酸塩鉱物である石綿（アスベスト）を微細粉塵化した積層に半減期の極めて長い放射性物質の微細微量レベルまでの吸着性をもって確実にこれらの放射性物質を吸着回収する石綿（アスベスト）微細粉塵積層を放射性物質廃棄用袋に充填し廃液処理タンクに装填し放射性廃液を通過透過して石綿（アスベスト）微細粉塵積層に吸着収集しコンパクトな廃棄容量物にすることを目的とする，放射性物質を吸着させる石綿（アスベスト）の微細粉塵化層を石綿粗繊維層、石綿中粗層をもって挟み放射性廃液から放射性物質を吸着収集する石綿積層形状を有する放射性物質吸着構造。
【請求項２】
石綿（アスベスト）微細粉塵の放射性物質の微細微量レベルまでの吸着性をもって確実にこれらの放射性物質を吸着回収する請求項１に記載の放射能汚染水の放射性物質吸着除染石綿積層の粉塵化吸着層の危険な石綿（アスベスト）と吸着された放射性物質とが飛散のないよう石綿粗層を持って粉塵化吸着層を挟んだ形状で危険物をこの積層構造物で一塊にして回収廃棄する積層装置とこれを装填した袋状の形状を有する放射性物質廃棄用袋処理装置の構造。
【請求項３】
微細粉塵化した石綿（アスベスト）によって汚染水の石綿層内停留時間を十分取る効果と請求項２で示した石綿微細粉塵化層を粗繊維層と中粗層とで挟むことで回収にも粉塵層が飛散しないものとし、請求項１に記載の石綿積層形状構造物を装填した請求項２に記載の汚染放射性物質吸着除染袋を液曹タンクに装填する組み合わせによる吸着放射性物質と積層石綿（アスベスト）とを一体として放射能汚染物質吸着回収し、除染廃液を廃棄する液曹タンク処理装置構造の形状を有する構成構造。